(57)【要約】【課題】取得した資格、免許、証明書等をデータベースで一元管理し、いつでも必要に応じて各種資格取得履歴が参照可能であると同時に、資格、経歴等の改ざん、詐称を防止することができる資格認証管理システムを提供することを課題とする。【解決手段】ユーザ情報管理データベース５、資格情報管理システムデータベース６を備えたホストシステム２と、各資格情報を管理する資格情報管理データベース７を備えた資格情報管理システム３と、資格証明ＩＣカード発行システム４と、複数の端末装置８、９とから構成し、連携システム８、個人端末９、資格証明ＩＣカード発行システム４からの各種要求データに応じて、ホストシステム２は、利用者情報及び資格問合せ先情報等を取得し、これら情報を基に、各資格認定機関が保有する資格情報管理システム３にアクセスして資格情報を取得し、ホストシステム２から連携システム８、個人端末９に送信して表示することを特徴とする。【選択図】図１
2007226637.tif 000002
【特許請求の範囲】
【請求項１】
ユーザ情報管理データベースと資格情報管理システムデータベースとを備えたホストシステムと、各種資格情報を管理する資格情報管理データベースを備えた資格情報管理システムと、資格証明ＩＣカード発行システムと、端末装置と、第三者機関による複数の連携システムとからなる資格認証管理システムであって、
前記ホストシステムは、前記ユーザ情報管理データベースと前記資格情報管理システムデータベースとに予め格納された取得資格に関する利用者情報及び資格情報管理システム情報を更新するデータベース更新手段と、
前記資格証明ＩＣカード発行システム、前記端末装置又は前記連携システムからの要求に応じて、前記ユーザ情報管理データベースから前記利用者情報を読み出す検索手段と、
前記資格情報管理システムとの間で前記利用者情報を送受信するための送受信手段と、
前記資格証明ＩＣカード発行システム、前記端末装置又は連携システムからのアクセスの認証を行うアクセス認証手段と、
前記ユーザ情報管理データベースと前記資格情報管理システムとから取得した情報に基づいて作成された前記利用者情報を前記端末装置又は前記連携システムへ配信する情報配信手段とを備え、
前記資格情報管理システムは、前記ホストシステムとの前記利用者情報の送受信を行う送受信手段と、
前記ホストシステムから送信された前記利用者情報に基づいて、前記資格情報管理データベースを更新するデータベース更新手段と、前記資格情報管理データベースから利用者情報を読み出す検索手段とを備え、
前記資格証明ＩＣカード発行システムは、前記ホストシステムとの利用者情報の送受信を行う送受信手段と、
利用者に対して資格証明ＩＣカードを発行する資格証明ＩＣカード発行手段とを備える
ことを特徴とする資格認証管理システム。
【請求項２】
請求項１に記載の資格認証管理システムおいて、
前記端末装置は、前記資格証明ＩＣカードを用いて前記利用者情報を取得又は更新する
ことを特徴とする資格認証管理システム。
【請求項３】
請求項１又は２に記載の資格認証管理システムおいて、
前記資格証明ＩＣカードは、前記情報配信部から配信される利用者情報をダウンロードして更新される
ことを特徴とする資格認証管理システム。
【請求項４】
請求項１ないし３のいずれかに記載の資格認証管理システムおいて、
前記各種資格のうち有効期限を有して更新手続きが必要な資格の場合は、有効期日前及び更新期日前に利用者へ通知を行う
ことを特徴とする資格認証管理システム。
【請求項５】
請求項４に記載の資格認証管理システムおいて、
前記有効期日及び前記更新期日を徒過して資格が失効した場合は、利用者へ通知を行う
ことを特徴とする資格認証管理システム。
【発明の詳細な説明】
【技術分野】
【０００１】
本発明は、端末装置等に対して資格登録情報や関連情報をホストシステムから配信可能とし、資格情報を一元管理する資格認証管理システムに関するものである。
【背景技術】
【０００２】
近年、インターンネットの普及に伴い、インターネット上からの各種申込み、商品の購入が手軽にできるようになった。支払い方法も様々で、オンライン上での決済、商品受取り時の決済等があり、日常生活においても便利なものとなっている。
最近では、各企業が実施するベンダー資格試験や、一部国家資格試験等の幅広い分野の資格受験申込みもインターネット上から可能となり、電子証明書を用いるセキュリティの高い電子的な申込み申請が実現されている。これに伴い、これら資格認定機関が発行する各種資格証明書等の電子化も普及しつつある。
【０００３】
図１３は、従来の資格認定書発行システムの概要を示すシステム構成図である。受験申請者の個人情報を入力する個人端末１３０３、ホストシステム１３０２、受験申請者の個人情報、合否結果を格納するユーザ情報管理データベース１３０４及び各資格保有者を管理する資格情報管理データベース１３０５とから構成され、ホストシステム１３０２は、本資格認定書発行システム１３０１にアクセスするためのアクセス認証部１３０９、合否判定に基づいて受験者もしくは申請者に対して発行する各種認定書（合格証明書）を出力する認定書発行部１３０８、上記データベースを操作するデータベース操作部１３０６、個人端末１３０３に情報を配信する情報配信部１３０７とから構成されている。
【０００４】
このような構成の資格認定書発行システムにおいては、利用者は各資格試験の受験申込み、住所変更等の個人情報変更ができても、資格情報管理データベース１３０５にアクセスすることができないため、利用者は各資格認定機関に電話、電子メール等によって直接問い合わせを行った上で、利用者自身の資格取得記録を参照、又は資格認定書の再発行を行うこととなる。各資格認定機関側は、利用者からの申請に基づいて、利用者に関する個人情報をもとに、再度検索し、資格情報管理データベース１３０５に格納されている合格者情報の検索を行う。認定書再発行等の場合には、認定書発行部１３０８によって認定書の再発行処理を行う。
【０００５】
一方、申請者が第三者（なりすまし）であるのか本人であるのかを確認するための手段として、個人認証システムがある。各種認定機関が発行する電子証明書、公開かぎ、秘密かぎといった個人認証方法によって、個人の情報保護、本人確認といった高いセキュリティ技術が提供されている。これらのセキュリティ技術との組み合わせにより、より安全かつ利便性の高いシステムが提供されている。
例えば、特許文献１では、個人の信用情報を活用した資格証明に基づいて電子証明書を発行する個人資格証明システムを提供する技術が開示されている。
【０００６】
【特許文献１】特開２００２−２４５１８９号公報
【発明の開示】
【発明が解決しようとする課題】
【０００７】
ところで、資格、証明書、免許等の資格情報は、個人の経歴、技能を証明するものとして、就職時、企業内での人事評価等幅広く利用され、その用途も様々である。この資格情報の大半は各認定機関から紙（認定書、合格証等）、カード等として発行、配布されることとなる。
【０００８】
しかしながら、各認定機関が発行した資格情報は、破損、紛失等により、再発行手続きが必要になるケースがある。また、各種手続き等で、資格情報を必要とする場合においても、資格名、取得年月日等といった情報が曖昧なケースもあり、利便性、確実性が損なわれている。さらには、資格情報のコピー、改ざん、履歴書作成時の詐称等も容易に行えてしまうのが実情である。
このため、悪意のある者は、これら資格情報を不正に利用して実際に資格、免許等を保持していない人物でも、自分の経歴、技能を詐称することが可能なため、結果として多くの人が被害を受けることとなり、社会制度の見直し等が議論される要因にもなっている。
【０００９】
上記問題点に鑑み、本発明は、取得した資格、免許、証明書等をデータベースで一元管理し、いつでも必要に応じて各種資格取得履歴が参照可能であると同時に、資格、経歴等の改ざん、詐称を防止することができる資格認証管理システムを提供することを課題とする。
【課題を解決するための手段】
【００１０】
上記課題を解決するために、本発明は、以下の特徴を有する。
請求項１に記載の本発明は、ユーザ情報管理データベースと資格情報管理システムデータベースを備えたホストシステムと、各種資格情報を管理する資格情報管理データベースを備えた資格情報管理システムと、資格証明ＩＣカード発行システムと、端末装置と、第三者機関による複数の連携システムとからなる資格認証管理システムであって、前記ホストシステムは、前記ユーザ情報管理データベースと前記資格情報管理システムデータベースとに予め格納された取得資格に関する利用者情報及び資格情報管理システム情報を更新するデータベース更新手段と、前記資格証明ＩＣカード発行システム、前記端末装置又は前記連携システムからの要求に応じて、前記ユーザ情報管理データベースから前記利用者情報を読み出す検索手段と、前記資格情報管理システムとの間で前記利用者情報を送受信するための送受信手段と、前記資格証明ＩＣカード発行システム、前記端末装置又は連携システムからのアクセスの認証を行うアクセス認証手段と、前記ユーザ情報管理データベースと前記資格情報管理システムとから取得した情報に基づいて作成された前記利用者情報を前記端末装置又は前記連携システムへ配信する情報配信手段とを備え、  前記資格情報管理システムは、前記ホストシステムとの前記利用者情報の送受信を行う送受信手段と、前記ホストシステムから送信された前記利用者情報に基づいて、前記資格情報管理データベースを更新するデータベース更新手段と、前記資格情報管理データベースから利用者情報を読み出す検索手段とを備え、前記資格証明ＩＣカード発行システムは、前記ホストシステムとの利用者情報の送受信を行う送受信手段と、  利用者に対して資格証明ＩＣカードを発行する資格証明ＩＣカード発行手段とを備えることを特徴とする資格認証管理システムである。
【００１１】
請求項２に記載の本発明は、請求項１に記載の資格認証管理システムおいて、  前記端末装置は、前記資格証明ＩＣカードを用いて前記利用者情報を取得又は更新することを特徴とする資格認証管理システムである。
【００１２】
請求項３に記載の本発明は、請求項１又は２に記載の資格認証管理システムおいて、前記資格証明ＩＣカードは、前記情報配信部から配信される利用者情報をダウンロードして更新されることを特徴とする資格認証管理システムである。
【００１３】
請求項４に記載の本発明は、請求項１ないし３のいずれかに記載の資格認証管理システムおいて、前記各種資格のうち有効期限を有して更新手続きが必要な資格の場合は、有効期日前及び更新期日前に利用者へ通知を行うことを特徴とする資格認証管理システムである。
【００１４】
請求項５に記載の本発明は、請求項４に記載の資格認証管理システムおいて、前記有効期日及び前記更新期日を徒過して資格が失効した場合は、利用者へ通知を行うことを特徴とする資格認証管理システムである。
【発明の効果】
【００１５】
本発明により、取得した資格、免許、証明書等をデータベースで一元管理し、本人又は第三者により、いつでも必要に応じて各種資格取得履歴が参照可能であると同時に、資格、経歴等の改ざん、詐称を防止することができる資格認証管理システムを提供することができる。
【発明を実施するための最良の形態】
【００１６】
以下に、本発明を実施するための最良の形態を図面に基づいて説明する。
【００１７】
図１は、本発明の資格管理認証システムの実施の形態の一例を示す概略構成図である。
本発明の資格認証管理システム１は、ユーザ情報管理データベース５（以下、データベースを「ＤＢ」とも記す。）を備えたホストシステム２と、資格情報管理データベース７を備えた資格情報管理システム３と、資格証明ＩＣカード発行システム４とから構成され、この本資格認証管理システムには各連携システム８と個人端末９が接続されている。
【００１８】
ホストシステム２には、ユーザ情報管理データベース５の他に、資格情報管理システム３にアクセスするための接続先情報を保持している資格情報管理システムデータベース６が設けられている。ホストシステム２にアクセスするためには、第三者として連携した連携システム８、個人端末９、資格証明ＩＣカード発行システム４の各クライアントからインターネット経由でアクセスすることが可能で、アクセス認証部１３によってインターネットアクセスを認証する。
【００１９】
ホストシステム２のユーザ情報管理データベース５には、各資格保有者の個人情報、例えば、氏名、住所、生年月日、取得資格情報等が登録されている。
資格情報管理システムデータベース６には、ユーザ情報管理データベース５に登録されている資格保有者が保有している資格リストに対応した資格情報管理システム３へのアクセス先情報、管理情報等のデータが登録されている。
【００２０】
ホストシステム２は、データベースを操作（更新、参照、検索）するためのデータベース操作部１０と、ホストシステム２に接続している各クライアントに情報を配信する情報配信部１１と、資格情報管理システム３にデータを送受信するための送受信部１２とを備えている。
【００２１】
資格情報管理システム３は、個々の資格の資格認定機関に配置されており、ホストシステム２とのデータ送受信を行う送受信部１４と、資格情報、例えば資格取得年月日、資格種別等が登録されている資格情報管理データベース７とを備えている。
資格証明ＩＣカード発行システム４は、ホストシステム２とのデータ送受信を行う送受信部１６と、資格証明ＩＣカードを発行する発行部１７とを備えている。
【００２２】
図２は、図１に示すホストシステムの詳細な構成図である。
第三者としての連携システム２０１、個人端末（端末装置）２０２、資格証明ＩＣカード発行システム４ａ、４ｂ、、、４ｎ（ｎは、任意のアルファベットを表す。）の各クライアントからのインターネットアクセスをアクセス認証部２１０が認証処理を行い、ホストシステム２００へのログインを許可する。各クライアントから通信路１（２１３）を介して送信されたデータに基づき、利用者情報が格納されているユーザ情報管理データベース２０５に対して、データベース更新部２０７、検索部２０８によってアクセスする。このユーザ情報管理データベース２０５には、例えば、氏名、生年月日、住所、電話番号、メールアドレス等の利用者個人情報、取得資格情報、問い合わせ先資格情報管理システム情報等が登録されている。
【００２３】
各クライアントから送信されたデータとユーザ情報管理データベース２０５に登録されているデータが一致した場合には、ユーザ情報管理データベース２０５から得られたデータ内に登録されている情報に基づいて、資格情報管理システムデータベース２０６を参照する。
資格情報管理システムデータベース２０６から、資格情報管理システム３ａ、３ｂ、３ｎ（ｎは任意のアルファベットを表す。）の接続先情報（例えば、ＩＰアドレス等）を参照し、資格情報管理システム３ａ、３ｂ、３ｎに対して接続処理を行い、送受信部２０９から必要なデータを、通信路２（２１２）を介して資格情報管理システム３ａ、３ｂ、３ｎに送信する。
ホストシステム２００は、資格情報管理システム３ａ、３ｂ、３ｎからの応答データを送受信部２０９で受信し、各クライアントの要求に応じてデータを作成し、各クライアントへの情報配信を行う情報配信部２１１により、各クライアントへの応答データを配信することとなる。
【００２４】
図３は、図２に示す資格情報管理システムの詳細な構成図である。本資格情報管理システムは、上述したように個々の資格を認定する資格認定機関に配置されている。ホストシステム３０６から送信されたデータは、通信路３０５を介して資格情報管理システム３００の送受信部３０３で受信され、受信データに基づいて、検索部３０２が資格情報管理データベース３０４を検索する。検索した結果、該当するデータが資格情報管理データベース３０４内に存在する場合には、その該当データを参照し、送受信部３０３によりホストシステム３０６に送信される。ここで、資格情報管理データベース３０４には、例えば、資格取得年月日、資格更新年月日、資格名、区分等の特定資格情報が登録されている。新たに資格取得者を追加したり、更新が必要な資格の場合には、データベース更新部３０１により追加、更新処理が行われる。ただし、このデータベース更新部３０１を操作できるのは、資格情報管理システム３００のシステム管理者に限られる。
【００２５】
図４は、図２に示す資格証明ＩＣカード発行システムの詳細な構成図である。
資格証明ＩＣカードの発行を行うためには、利用申請者からの申請書に基づいて個人情報が入力され、入力された個人情報データはホストシステム４０４へ送受信部４０２により送信される。ホストステム４０４では、受信した個人情報データが各データベースに登録され、応答データが資格証明ＩＣカード発行システム４００へ返信される。ホストシステム４０４からの応答データを、通信路４０３を介して資格証明ＩＣカード発行システム４００の送受信部４０２が受信し、ＩＣカード発行部４０１によりカード発行手続きへと移行する。
【００２６】
このようにして、個人端末２０２、連携システム２０１からの問い合わせに応じて、ホストシステムは各データベース２０５、２０６にアクセスして利用者情報、資格情報問い合わせ先を参照し、資格情報管理システム３ｎに接続して、利用者情報を送信する。資格情報管理システム３ｎは、ホストシステム２００から送られてきたデータを基に、資格情報を取得し、ホストシステム２００に送信する。ホストシステム２００は得られた情報を編集、画面生成等を行い、個人端末２０２、連携システム２０１にデータを送信し、問い合わせを行った利用者の資格情報一覧が個人端末２０２、連携システム２０１に表示される。
【００２７】
次に、上記のように構成された資格認証管理システムの動作を説明する。
図５は、ホストシステムのデータ送受信処理の概要を示すフローチャートである。
ホストシステム２００は、まず、連携システム２０１、個人端末２０２、資格証明ＩＣカード発行システム４ｎ等の各クライアント端末からのデータを受信（ステップ５０１）し、各種要求種別に応じて処理を進める（ステップ５０２）。
受信したデータの要求種別には、利用者新規登録、利用者情報更新、利用者資格情報一覧参照等がある。
【００２８】
利用者新規登録要求用のデータを受信した場合、新規利用者の登録処理を行う。インターネットアクセスを可能とするための権限を登録、付与し、ユーザ情報管理データベース２０５に対しては、利用者個人情報、例えば、氏名、生年月日、住所、資格保有数等といった情報を登録する（ステップ５０３）。登録が完了したら、資格証明ＩＣカード発行システム４ｎに対して、登録が完了した旨のデータを送信する（ステップ５１２）。
利用者新規登録以外は、ユーザ情報管理データベース２０５の検索処理を行う（ステップ５０４）。利用者情報更新要求を受信した場合（ステップ５０５）には、前記検索結果で得られたユーザ情報管理データベース２０５内の該当項目を更新し（ステップ５０６）、変更後のデータ取得を行い（ステップ５０７）、データの表示編集等を行って（ステップ５１１）、クライアント端末に対して、応答データを送信する（ステップ５１２）。クライアント端末では、変更前、変更後の該当データが表示され、問題がなければ更新後のデータを確認する。
このようにして、各クライアント端末からの情報更新処理を可能とし、利用者情報の変更、例えば、引越し等による住所変更等を容易に行うことができるようになる。
【００２９】
一方、利用者資格情報一覧参照要求を受信した場合（ステップ５０５）、ユーザ情報管理データベース２０５の検索結果で得られた資格問合せ先を基に、資格情報管理システムデータベース２０６内からデータを取得し（ステップ５０８）、そのデータ内に登録されている資格情報問い合わせ先を基に、資格情報管理システム３ｎに接続し、必要となるデータを資格情報管理システム３ｎへ送信する（ステップ５０９）。資格情報管理システム３ｎでの処理の後、資格情報管理システム３ｎからのデータを受信し（ステップ５１０）、データの表示編集等を行って（ステップ５１１）、クライアント端末に対して、応答データを送信する（ステップ５１２）。複数の資格保有者は、複数の資格情報管理システム３ｎへの接続、データの送受信処理を行うことになり、クライアント端末では、これら資格情報一覧（資格取得年月日、資格名等）が表示される。
資格証明ＩＣカードの紛失、破損等で、再度登録が必要となった場合には、利用者新規登録処理（ステップ５０２）に従うが、データがすでにユーザ情報管理データベース２０５に登録されている可能性が高い。このため、個人情報をキーとしてユーザ情報管理データベース２０５を検索し、資格証明ＩＣカード作成情報を検出する。
ホストシステム２００は、以上の処理をクライアント端末からデータを受信する度に実行する。
【００３０】
このようにして、各種資格、各種免許、各種証明書などの対象とした個人の技能、経歴、身分等を証明するあらゆる情報を、資格認証局として機能する資格認証管理システムのホストシステムが一元管理することが可能になる。さらに、各種資格認定機関が、資格認証局に接続できるため、資格認証局のサービスを受けることが可能になる。
また、他機関（第三者）と本発明の資格認証管理システムとの連携、又は接続を可能とし、利用者が各資格情報を公開してよい場合に限り、他機関は、その各資格情報を参照することができ、様々なサービス（最新情報の配信等）が受けられるようになる。
また、利用者が第三者のアクセスを許可することが可能であるため、第三者が資格情報を確認、検証することが可能となる。これにより、利用者は、履歴書等の個人経歴、技能を詐称できなくなる。
【００３１】
図６は、資格情報管理システムのデータ送受信処理の概要を示すフローチャートである。
まず、ホストシステム３０６からデータを受信し（ステップ６０１）、その受信データを基に、資格情報管理データベース３０４内を検索する（ステップ６０２）。検索を行い該当するデータが存在するか否かを判断し（ステップ６０３）、該当データが存在する場合には、その検索で得られたデータを取得し（ステップ６０４）、ホストシステム３０６に送信する（ステップ６０６）。
一方、該当データが存在しない場合には、該当データがない旨をホストシステム３０６への送信データに設定し（ステップ６０５）、ホストシステム３０６に送信する（ステップ６０６）。
これは、更新、期限付き資格、免許等の場合に、有効期限が過ぎて失効状態となっていることを示すことができるようにするためである。
資格情報管理システム３００は、以上の処理をホストシステム３０６からデータを受信する度に実行する。
【００３２】
図７は、資格証明ＩＣカード発行システムのデータ送受信処理の概要を示すフローチャートである。
まず、ＩＣカード発行に先立ち、利用者からのＩＣカード発行申請書の発行区分を確認する。発行区分とは、新規発行と再発行等からなる。発行区分に従って（ステップ７０１）、新規発行の場合には、利用者からのＩＣカード発行申請書の内容（利用者個人データ）を規定形式に従って入力する。
発行区分が再発行の場合（ステップ７０１）、ＩＣカード番号の有無（ステップ７０３）に従って、処理を進める。ＩＣカード番号が分かる場合には、利用者からのＩＣカード発行申請書の内容（ＩＣカード番号）を入力し、ＩＣカード番号が分からない場合、新規発行手順と同様に、利用者からのＩＣカード発行申請書の内容（利用者個人データ）をそのまま入力する（ステップ７０２）。これらの各情報を設定したデータをホストシステムに送信する（ステップ７０５）。ホストシステム４０４では各データベース２０５、２０６の更新処理を行って、資格証明ＩＣカード発行システム４００に対して、登録完了を通知するデータを送信する。資格証明ＩＣカード発行システム４００は、登録完了のデータを受信した後（ステップ７０６）、ＩＣカード発行手続きに移行する（ステップ７０７）。
資格証明ＩＣカード発行システム４００は、利用者新規登録、再発行手続きが必要となった場合には上述した処理を実行する。
【００３３】
本発明の資格認証管理システム１では、医師免許、船舶免許、情報処理資格等の国家資格（免許）をはじめ、各企業が行うベンダー資格、さらに、各学術機関の卒業証明書等、幅広い資格を対象とすることが可能になる。
このようにして、資格証明ＩＣカードにより、資格認証管理システムに対して、固定型あるいは移動型の端末装置からインターネットを利用して、必要に応じていつでも各個人の資格取得情報、更新履歴などの情報参照が可能になる。
【００３４】
図８は、ユーザ情報管理データベースで使用するデータ例を示す図である。
利用者ＩＤ８０１は利用者毎に割当てられた一意のＩＤ番号である。このデータには利用者の個人情報である氏名８０２、生年月日８０３、住所８０４、電話番号８０５等の情報を格納し、必要に応じて項目数を増やすことが可能である。基本的には、利用者ＩＤ８０１以外は、インターネット上から利用者自身で、更新が可能なため、引越し等による住所変更、さらには苗字変更にも柔軟に対応が可能である。
資格情報一覧を出力するときは、利用者ＩＤ８０１と従属部８０６を使用する。この従属部８０６のデータを用いて、資格情報管理システムデータベース２０６から、各資格問合せ先を取得する。
【００３５】
図９は、図８に示す従属部を基に参照されるデータの構成例を示したものである。ここで示すデータ構成例は、資格情報管理システムＩＤ９０１と登録日９０２とからなり、資格情報管理システムＩＤ９０１に基づいて、資格情報管理システムデータベース２０６にアクセスされる。また、登録日９０２は、ユーザ情報管理データベース２０５に登録された日付を格納するものである。いずれのデータも利用者は参照、更新はできない。
【００３６】
図１０は、資格情報管理システムデータベースで使用するデータ例を示している。
参照可能な資格認定機関に関する情報で、それぞれの資格認定機関には、一意の資格情報管理システムＩＤ１００１が割当てられ、接続先情報１００２、認定機関名１００３等の情報が格納されている。このデータは利用者は参照、更新はできない。
ホストシステム２００は、資格情報管理システム３ｎとの送受信を行う際には、接続先情報１００２を基に接続処理、およびデータの送受信処理を行うこととなる。
【００３７】
図１１は、資格情報管理データベースで使用するデータ例を示している。
ホストシステム２００からデータを受信した資格情報管理システム３ｎでは、受信したデータに基づいて、該当利用者の資格情報を抽出する。抽出されたデータの基本構成は、利用者ＩＤ１１０１、取得年月日１１０２、有効年月日１１０３、資格情報１１０４等から構成される。資格に有効期限がない場合には、識別可能なコード（例えば、全て０（ゼロ）を埋め込むこと）で対応する。資格情報管理システム３ｎでは、定期的に有効年月日１１０３を定期監視する。更新期日、有効年月日が近くなると、自動的にホストシステム２００に送信して通知する。受信したデータにより、ホストシステム２００では該当利用者個人情報から連絡先を取り出し、利用者に通知する。
更新されないまま、有効期日を過ぎた場合においても、資格情報管理システム３００の定期監視によって、更新期日通知時と同様に資格失効通知を自動的にホストシステム２００に送信して通知する。受信したデータにより、ホストシステム２００では該当利用者個人情報から連絡先を取り出し、利用者の端末装置、電話等に通知する。
このようにして、有効期限、更新手続きが必要な各種資格の場合は、有効期日、更新期日前に自動的に利用者に対して連絡を行うことが可能になる。
さらに、有効期限、更新手続きが必要な各種資格の場合は、有効期日、更新期日を過ぎて、資格失効となった場合に自動的に利用者に対して連絡を行うことが可能となる。
【００３８】
また、本発明の資格認証管理システムでは、資格情報を資格証明ＩＣカードで管理することにより、新規資格取得時に更新処理が簡単なため、１枚の資格証明ＩＣカードで管理することができ、ＩＣカード書き込み機能を有した専用端末でＩＣカード更新が可能となる。次に、新規資格取得時の資格証明ＩＣカードの更新処理について説明する。
図１２は、新規資格取得時の資格証明ＩＣカードの更新処理を示す概略図である。
まず、各資格認定機関から新規資格認定者に対して、新規資格認定書を送付する。この新規資格認定書には、資格認定情報が記載されており、図１２において、個人端末１２０４からアクセス認証部１２１１の認証処理を経てホストシステム１２０２にインターネットアクセスを行う。次に送付されてきた新規資格認定書に記載されている資格認定情報を、個人端末１２０４から入力し、ホストシステム１２０２に送信する。ホストシステム１２０２では、この資格認定情報に基づいてユーザ情報データベース１２０５に登録されている利用者情報との照合を行い、資格認定情報から、資格情報管理システムデータベース１２０６にアクセスし、問合せ先資格情報管理システム１２０３を選出する。
選出された問合せ先資格情報管理システム１２０３に接続処理を送受信部１２１０が行い、必要となる利用者情報を送信する。資格情報管理システム１２０３では、受信した利用者情報に基づいて、資格情報管理データベース１２０７を検索し該当利用者を選出し、必要なデータをホストシステム１２０２に送信する。ホストシステム１２０２の送受信部１２１０はこのデータを受信し、情報配信部１２０９により、利用者が端末装置等によりダウンロード可能な状態となる。
【００３９】
一方、端末装置１２０４では、資格証明ＩＣカード書き込み準備を進める。資格証明ＩＣカードのカード情報とホストシステム１２０２にアクセスしている利用者情報との照合を行い、ホストシステム１２０２にアクセスしている利用者とその利用者本人の資格証明ＩＣカードであることを確認した上で、ダウンロード及び資格証明ＩＣカード更新処理を行う。これにより、一度配布された資格証明ＩＣカードは紛失、破損等がない限り一枚のカードで複数の資格情報を保持することが可能となる。
【００４０】
このようにして、資格証明ＩＣカードを用いることにより、各個人が資格認証管理システムに対して、固定型あるいは移動型の端末装置からインターネットを利用して、必要に応じていつでも各個人の個人情報を更新することが可能になる。
さらに、資格証明ＩＣカードは、各種資格を新規取得毎にインターネット上の資格認証管理システムから新規取得資格情報をダウンロードすることによって更新することが可能になる。
【図面の簡単な説明】
【００４１】
【図１】本発明の資格管理認証システムの実施の形態の一例を示す概略構成図である。
【図２】図１に示すホストシステムの詳細な構成図である。
【図３】図２に示す資格情報管理システムの詳細な構成図である。
【図４】図２に示す資格証明ＩＣカード発行システムの詳細な構成図である。
【図５】ホストシステムのデータ送受信処理の概要を示すフローチャートである。
【図６】資格情報管理システムのデータ送受信処理の概要を示すフローチャートである。
【図７】資格証明ＩＣカード発行システムのデータ送受信処理の概要を示すフローチャートである。
【図８】ユーザ情報管理データベースで使用するデータ例を示す図である。
【図９】図８に示す従属部を基に参照されるデータの構成例を示したものである。
【図１０】資格情報管理システムデータベースで使用するデータ例を示している。
【図１１】資格情報管理データベースで使用するデータ例を示している。
【図１２】新規資格取得時の資格証明ＩＣカードの更新処理を示す概略図である。
【図１３】従来の資格認定書発行システムの概要を示すシステム構成図である。
【符号の説明】
【００４２】
１  資格認証管理システム
２、２００、３０６、４０４、１２０２  ホストシステム
３、３ａ、３ｂ、３ｎ、３００  資格情報管理システム
４、４ａ、４ｂ、４ｎ、４００  資格証明ＩＣカード発行システム
５、２０５  ユーザ情報管理データベース
６、２０６  資格情報管理システムデータベース
７、３０４  資格情報管理データベース
８、２０１  連携システム（第三者機関）
９、２０２  個人端末
１０  データベース操作部（ホストシステム内）
２０７  データベ−ス更新部
２０８  検索部
１１、２１１  情報配信部
１２、２０９  送受信部（ホストシステム内）
１３、２１０  アクセス認証部
１４、３０３  送受信部（資格情報管理システム内）
１５  データベース操作部（資格情報管理システム内）
３０１  データベ−ス更新部
３０２  検索部
１６、４０２  送受信部（資格証明ＩＣカード発行システム内）
１７、４０１  ＩＣカード発行部
２１２、３０５  通信路２
２１３  通信路１
４０３  通信路
【図１】
2007226637.tif 000003
【図２】
2007226637.tif 000004
【図３】
2007226637.tif 000005
【図４】
2007226637.tif 000006
【図５】
2007226637.tif 000007
【図６】
2007226637.tif 000008
【図７】
2007226637.tif 000009
【図８】
2007226637.tif 000010
【図９】
2007226637.tif 000011
【図１０】
2007226637.tif 000012
【図１１】
2007226637.tif 000013
【図１２】
2007226637.tif 000014
【図１３】
2007226637.tif 000015